(57)【要約】【課題】従来ねじ止め等で取り付ける構造であったため、穴加工といった作業が必要であったが、本発明は、簡単な構造で、風量検知装置を容易に取り付けられる構造を提供することを目的とする。【解決手段】換気扇カバーには略平行に複数桟が形成されると共に、桟の裏面には凹部が設けられ、風量検知装置を取り付ける取り付け面と、換気扇カバーに取り付ける引っ掛け面とを断面ハット状に折曲形成し、引っ掛け面の一方に桟の凹部に係止可能である凸部を設けたマウント金具を介して風量検知装置を換気扇カバーに取り付けることを特徴とする。【選択図】図１
2009019792.tif 000002
【特許請求の範囲】
【請求項１】
各種電気・通信機器を収納するキャビネットラックの排熱のために設けられる換気扇の動作を確認するために、前記換気扇の表面を被覆する換気扇カバーに取り付けられる風量センサを備えた風量検知装置の取り付け構造であって、前記換気扇カバーには略平行に複数桟が形成されると共に、該桟の裏面には凹部が設けられ、前記風量検知装置を取り付ける取り付け面と、前記換気扇カバーに取り付ける引っ掛け面とを断面ハット状に折曲形成し、前記引っ掛け面の一方に前記桟の凹部に係止可能である凸部を設けたマウント金具を介して前記風量検知装置を前記換気扇カバーに取り付けることを特徴とする風量検知装置の取り付け構造。
【発明の詳細な説明】
【技術分野】
【０００１】
本発明は、各種電気・通信機器を収納するキャビネットラックの排熱のために設けられる換気扇の動作を確認するために、換気扇の表面を被覆する換気扇カバーに取り付けられる風量検知装置の取り付け構造に関するものである。
【背景技術】
【０００２】
各種電気・通信機器を収納するキャビネットラックは、近年の情報化に伴い、機器が集中して載置され、キャビネットラック内部の温度上昇が問題となっている。キャビネットラック内部の温度上昇を抑えるため、キャビネットラックには換気扇を取り付けて排熱を行っている。確実に排熱するために、換気扇が正常に動作しているかどうかをチェックする風量センサを設けている。
【０００３】
風量検知装置は、ベースとカバーとから構成される筺体に風量センサを収めて成る。換気扇により排出される空気を検知するため、換気扇に穴加工を施し、ねじ止めにより固定していた。または、風量検知装置に磁石を組み付け、換気扇に磁力により固定していた。
【特許文献１】特開２００６−３２９５０７号公報
【発明の開示】
【発明が解決しようとする課題】
【０００４】
しかしながら、上記風量検知装置の取り付け方法では、換気扇に風量検知装置を取り付けるために穴加工を施す必要があり、細かい面倒な作業であった。また、風量検知装置を磁力により固定するには、換気扇が鉄鋼材でなくてはならず、鉄鋼材でない場合には、穴加工を施さなくてはならなかった。
【課題を解決するための手段】
【０００５】
そこで本発明は、簡単な構造で、風量検知装置を容易に取り付けられる構造を提供することを目的とし、その構造は、換気扇カバーには略平行に複数桟が形成されると共に、桟の裏面には凹部が設けられ、風量検知装置を取り付ける取り付け面と、換気扇カバーに取り付ける引っ掛け面とを断面ハット状に折曲形成し、引っ掛け面の一方に桟の凹部に係止可能である凸部を設けたマウント金具を介して風量検知装置を換気扇カバーに取り付けることを特徴とする。
【発明の効果】
【０００６】
本発明に係る風量検知装置の取り付け構造は、換気扇カバーには略平行に複数桟が形成されると共に、桟の裏面には凹部が設けられ、風量検知装置を取り付ける取り付け面と、換気扇カバーに取り付ける引っ掛け面とを断面ハット状に折曲形成し、引っ掛け面の一方に桟の凹部に係止可能である凸部を設けたマウント金具を介して風量検知装置を換気扇カバーに取り付けるため、風量検知装置をワンタッチで換気扇カバーに取り付けることが可能で、作業性が大幅に向上する。
【発明を実施するための最良の形態】
【０００７】
本発明に係る風量検知装置の取り付け構造を図の添付図面に基いて説明する。
【０００８】
電気・通信機器は、キャビネットラックに収納される。近年の情報化に伴い、電気・通信機器はキャビネットラックに集中化し、キャビネットラック内部の温度上昇による機器の不具合が危惧されている。そこでキャビネットラックの天井１に換気扇２等を設け、強制的に換気を行っている。取り付けられた換気扇２が故障し機能が停止した場合、キャビネットラック内部の温度が上昇し機器に不具合が発生する前に、換気扇２の異常を知るため、風量検知装置３を換気扇２に設ける。風量検知装置３は、換気扇２からの風量を検知する風量センサをベース４ａとカバー４ｂとで構成される筺体４に収納し、カバー４ｂには換気扇２からの風を風量センサに送るための検知窓（図示せず）を、ベース４ａには排気孔５を設ける。
【０００９】
本発明に係る風量検知装置３の取り付け構造は、風量検知装置３をマウント金具６を介して、換気扇２の風を受けることのできる位置に取り付けるものである。換気扇２の風を受けることのできる位置として、換気扇２の表面を被覆する換気扇カバー７の桟８に取り付けることのできる構造である。換気扇カバー７の前面には略中央部に縦桟８ａを、縦桟８ａに直行するように略平行に複数の横桟８ｂを設けている。横桟８ｂの裏面は凹部８ｃが設けられている。
【００１０】
マウント金具６は、断面略ハット状に折曲し、筺体４を配置するための取り付け面６ａと、換気扇カバー７に取り付けるための引っ掛け面６ｂとを形成する。取り付け面６ａには通気孔９が設けられ、風は、通気孔９を通って風量検知装置に取り込まれ、筺体４のカバー４ｂに設けられた排気孔５から排出する。取り付け面６ａの端部にはリブ１０を形成し、筺体４を配置するときに取り付け位置の位置決めに用いることができる。マウント金具６に設けられた二面の引っ掛け面６ｂの一方には、換気扇カバー７の横桟８ｂ裏面に設けられた凹部８ｃに対向する凸部１１を設ける。
【００１１】
換気扇カバー７の横桟８ｂの間に、マウント金具６の、凸部１１の設けられた引っ掛け面６ｂを差し込み、マウント金具６を移動させながら凸部１１を凹部８ｃに勘合させる。凸部１１と凹部８ｃが勘合した状態で、凸部１１の設けられていない側の引っ掛け面６ｂが換気扇カバー７の横桟８ｂに接触し、マウント金具６が換気扇カバー７に取り付けられる。
【００１２】
換気扇２が動作しているときは風が出てくるが、故障の場合には風が来なくなる。換気扇２からの風を、通気孔９と検知窓とを通してセンサで検知させて正常動作を確認し、風が来ない場合には、換気扇２に異常があることをすぐに検知し、キャビネットラック内部の機器に悪影響を与えないようにする。
【図面の簡単な説明】
【００１３】
【図１】本発明に係る風量検知装置の取り付け構造を示す説明図である。
【図２】風量検知装置を示す説明図である。
【図３】マウント金具を示す説明図である。
【図４】図１における風量検知装置の取り付け動作を示す説明図である。
【符号の説明】
【００１４】
１    天井
２    換気扇
３    風量検知装置
４    筺体
４ａ  ベース
４ｂ  カバー
５    排気孔
６    マウント金具
６ａ  取り付け面
６ｂ  引っ掛け面
７    換気扇カバー
８    桟
８ａ  縦桟
８ｂ  横桟
９    通気孔
１０  リブ
１１  凸部
【図１】
2009019792.tif 000003
【図２】
2009019792.tif 000004
【図３】
2009019792.tif 000005
【図４】
2009019792.tif 000006